(57)【特許請求の範囲】
【請求項１】
液体透過性の頂部層と、液体不透過性の底部層と、前記頂部層と前記底部層との間に配置された吸収性の芯（３）と、を備え、前記吸収性の芯が、吸収特性を有する吸収性材料と、超吸収性材料と、を含む、吸収性製品（１）であって、前記吸収性製品（１）は、長手方向に第１の長さを有し、横方向に第２の長さを有し、前記吸収性製品（１）を通って延在しかつ前記吸収性製品（１）の第１の長手方向の部分（Ｉ）と第２の長手方向の部分（ＩＩ）との間に位置する長手方向の中心線（Ａ）を有し、前記第１および第２の長手方向の部分（Ｉ；ＩＩ）は前記長手方向の中心線（Ａ）に対して対称であり、前記吸収性製品（１）は、前記吸収性製品（１）の長手方向に延在するヘッド製品部分（ｂ１）と中間製品部分（ｂ２）と後方製品部分（ｂ３）とを有し、前記吸収性製品（１）は、砂時計に似た形状を有する外形（１００）を有し、前記中間製品部分（ｂ２）は、前記ヘッド製品部分（ｂ１）および前記後方製品部分（ｂ３）それぞれにおけるいずれの領域よりも狭い幅を有する領域を備え、前記芯（３）は、前記吸収性製品（１）の長手方向および横方向に延在しており、かつ前記吸収性製品（１）の外形（１００）とは異なる外形（３００）を有し、
−  前記吸収性製品（１）のヘッド製品部分（ｂ１）は、
−  前記吸収性製品（１）の中心線（Ａ）が前記吸収性製品（１）の外形（１００）に交差するポイントでの長手方向における、吸収性製品（１）の先頭ポイント（Ｔ１０）と、
−  前記横方向における吸収性製品（１）の外形（１００）上の２つの対向する最も外側のポイント（Ｔ１１；Ｔ１１’）の間に延在し、前記吸収性製品（１）において最も幅広である、第１の製品幅（Ｌ１）と、
−  前記横方向における芯（３）の外形（３００）の２つの対向する最も外側のポイント（Ｔ５；Ｔ５’）の間に延在し、前記芯において最も幅広である、第１の芯幅（Ｍ１）と、
を備え、
前記ヘッド製品部分（ｂ１）は、前記吸収性製品（１）の中間移行ポイント（Ｔ１２；Ｔ１２’）および前記芯（３）の第２の移行ポイント（Ｔ２，Ｔ２’）で前記中間製品部分（ｂ２）へと移行しており、前記芯は、前記芯の２つの対向する第２の移行ポイント（Ｔ２，Ｔ２’）の間に延在する横方向における第２の芯幅（Ｍ２）を有し、前記第２の芯幅（Ｍ２）は前記第１の芯幅（Ｍ１）よりも小さく、
−  前記吸収性製品（１）の中間製品部分（ｂ２）は、
−  最小の幅を有する前記吸収性製品（１）の領域における２つの対向するポイント（Ｔ１４；Ｔ１４’）の間に延在し、前記第２の芯幅（Ｍ２）から長手方向に隔てられた、第２の製品幅（Ｌ２）と、
−  中間芯部分（ａ２）の２つの対向する最も外側のポイント（Ｔ６；Ｔ６’）の間に延在し、前記第２の芯幅（Ｍ２）よりも幅広である、第３の芯幅（Ｍ３）と、
を備え、前記中間製品部分（ｂ２）は、前記吸収性製品（１）の後方移行ポイント（Ｔ１３，Ｔ１３’）および前記芯の第３の移行ポイント（Ｔ３，Ｔ３’）で、前記後方製品部分（ｂ３）へと移行しており、
−  前記吸収性製品（１）の後方製品部分（ｂ３）は、
−  前記第２の製品幅（Ｌ２）よりも幅広の、第３の製品幅（Ｌ３）と、
−  後方端部ポイント（Ｔ５）に向かって先細になる芯の後方部分（ａ３）であって、前記後方端部ポイント（Ｔ５）は前記吸収性製品（１）の後方端部ポイント（Ｔ２０）から長手方向に隔てられている、芯の後方部分（ａ３）と、
−  前記芯の外形（３００）に対して最大の距離を有する、前記吸収性製品（１）の外形（１００）上のポイントと、
を備え、
前記ヘッド製品部分（ｂ１）の長さは、前記中心線（Ａ）に沿った前記吸収性製品（１）の長さの１／３であり、前記中間製品部分（ｂ２）の長さは、前記中心線（Ａ）に沿った前記吸収性製品（１）の長さ１／３であり、前記後方製品部分（ｂ３）の長さは、前記中心線（Ａ）に沿った前記吸収性製品（１）の長さの１／３であることを特徴とする吸収性製品（１）。
【請求項２】
前記吸収性製品（１）の縁部領域（５）と前記芯との厚さの比は、１：３５〜１：３で
あることを特徴とする、請求項１に記載の吸収性製品（１）。
【請求項３】
前記芯（３）の厚さは、１．５ｍｍ〜３．４ｍｍであり、かつ前記吸収性製品（１）の縁部領域の厚さは、０．１ｍｍ〜０．３ｍｍであることを特徴とする、請求項２に記載の吸収性製品（１）。
【請求項４】
前記吸収性製品（１）の外形は、非対称の砂時計状の外形であり、前記吸収性製品（１）の外形（１００）は、前記中間製品部分（ｂ２）において、半径（ｒ１）を有する第１の凹面状のアーチ形の部分を備え、前記第１の凹面状のアーチ形の部分は、半径（ｒ２）を有する第２のアーチ形の部分へと移行しており、前記半径（ｒ１）は、前記半径（ｒ２）よりも小さいことを特徴とする、請求項１から３のいずれか一項に記載の吸収性製品（１）。
【請求項５】
前記頂部層は、ポリプロピレン繊維を含むスパンボンド材料である不織材料を含むことを特徴とする、請求項１から４のいずれか一項に記載の吸収性製品（１）。
【請求項６】
ヘッド芯部分（ａ１）は、それぞれの第１および第２の長手方向の部分（Ｉ；ＩＩ）において、鏡像になった、
ａ．  第１の円弧部分（１１，１１’）の間の中心線（Ａ）上に位置する第１の移行ポイント（Ｔ１）から前記芯の長手方向前方方向に、前記中心線（Ａ）と前記第１の円弧部分（１１；１１’）に対する移行ポイント（Ｔ１）のポイントでの接線との間の鋭角βにおいて延在する、第１の円弧部分（１１；１１’）と、
ｂ．  前記中間芯部分（ａ２）に向かって、かつ１５°〜４５°の角度αで前記芯（３）の中心線（Ａ）に向かって先細になり、前記第１の円弧部分（１１；１１’）が移行する第１の縁部ライン（１３；１３’）であって、前記ヘッド芯部分（ａ１）と前記中間芯部分（ａ２）との間に位置する第２の移行ポイント（Ｔ２，Ｔ２’）へと先細になる、第１の縁部ライン（１３；１３’）と、
を備えることを特徴とする、請求項１から５のいずれか一項に記載の吸収性製品（１）。
【請求項７】
前記中間芯部分（ａ２）は、それぞれの第１および第２の長手方向部分（Ｉ；ＩＩ）において、前記第２の移行ポイント（Ｔ２，Ｔ２’）と第３の移行ポイント（Ｔ３；Ｔ３’）との間に延在する、鏡像になった第１の凸面縁部部分（１５；１５’）を備え、前記第３の移行ポイント（Ｔ３；Ｔ３’）は、中間の芯部分（ａ２）と後方の芯部分（ａ３）との間に位置しており、前記第１の凸面縁部部分（１５；１５’）は、前記中心線（Ａ）の全長の５０％〜６０％の長さを有し、かつ前記芯の横方向においてアーチの１ｍｍ〜１０ｍｍの最大の高さ（ｈ１；ｈ１’）を有することを特徴とする、請求項１から６のいずれか一項に記載の吸収性製品（１）。
【請求項８】
後方芯部分（ａ３）は、前記後方端部ポイント（Ｔ５）および前記芯の中心線（Ａ）に向かって、３〜１５°である角度（γ）の範囲で先細になる、第２の縁部ライン（１７；１７’）を備え、前記第２の縁部ライン（１７；１７’）は、第４の移行ポイント（Ｔ４，Ｔ４’）まで先細になり、前記第４の移行ポイント（Ｔ４，Ｔ４’）から前記第２の縁部ライン（１７；１７’）は、前記第２の縁部ライン（１７；１７’）と合わさって結合する半円または円弧の後方端部部分（１９）へと移行することを特徴とする、請求項１から７のいずれか一項に記載の吸収性製品（１）。
【請求項９】
前記吸収性製品（１）の前方端部ポイント（Ｔ１０）と後方端部ポイント（Ｔ２０）との間の吸収性製品（１）の全長は、１３０ｍｍ〜１７５ｍｍであることを特徴とする、請求項１から８のいずれか一項に記載の吸収性製品（１）。
【請求項１０】
前記中心線（Ａ）に沿った、前記ヘッド製品部分（ｂ１）の長さは、４０ｍｍ〜５０ｍｍであり、前記中間製品部分（ｂ２）の長さは、４５ｍｍ〜６０ｍｍであり、かつ前記後方製品部分（ｂ３）の長さは、４０ｍｍ〜５０ｍｍであることを特徴とする、請求項１から９のいずれか一項に記載の吸収性製品（１）。
【請求項１１】
前記ヘッド製品部分（ｂ１）における吸収性製品（１）の第１の製品幅（Ｌ１）は６４ｍｍ〜７２ｍｍであることを特徴とする、請求項１から１０のいずれか一項に記載の吸収性製品（１）。
【請求項１２】
前記中間製品部分（ｂ２）における第２の製品幅（Ｌ２）は、４２ｍｍ〜５０ｍｍであることを特徴とする、請求項１から１１のいずれか一項に記載の吸収性製品（１）。
【請求項１３】
前記吸収性製品（１）の後方製品部分（ｂ３）における第３の製品幅（Ｌ３）は、５５ｍｍ〜６３ｍｍであることを特徴とする、請求項１から１２のいずれか一項に記載の吸収性製品（１）。
【請求項１４】
前記芯（３）における超吸収性材料の量は、前記吸収性の芯の総重量の１０重量パーセント〜３０重量パーセントであることを特徴とする、請求項１から１３のいずれか一項に記載の吸収性製品（１）。
【請求項１５】
前記芯の密度は、１００ｋｇ／ｍ３〜１８０ｋｇ／ｍ３であることを特徴とする、請求項１から１４のいずれか一項に記載の吸収性製品（１）。
【請求項１６】
前記芯は、セルロース系綿毛パルプ、薄織物、吸収性発泡材料、または吸収性不織材料を前記吸収性材料として含むことを特徴とする、請求項１から１５のいずれか一項に記載の吸収性製品（１）。
【請求項１７】
前記芯（３）が位置決めされる前記吸収性製品（１）の領域は、前記芯（３）の設計に主にならうパターンによってエンボス加工されることを特徴とする、請求項１から１６のいずれか一項に記載の吸収性製品（１）。
【請求項１８】
前記底部層は、剥離紙が装着される前記吸収性製品（１）の面に面している本体から離れるように向いている面に、吹き付け接着剤コーティングを有することを特徴とする、請求項１から１７のいずれか一項に記載の吸収性製品（１）。
【発明の詳細な説明】
【技術分野】
【０００１】
本発明は、パンティライナーなどの吸収性製品に関する。吸収性製品は、液体透過性の頂部層と、液体不透過性の底部層と、頂部層と底部層の間に配置された吸収性の芯と、を備える。吸収性の芯は、吸収特性を有する吸収性材料と、超吸収性材料と、を含む。この製品は、長手方向に第１の延長部を有し、横方向に第２の延長部を有する。この製品は、製品を通って延在し、製品の第１の長手方向の部分と第２の長手方向の部分との間に位置する長手方向の中心線を有する。第１および第２の長手方向の部分は、長手方向の中心線に対して対称である。製品は、製品の長手方向に延在するヘッド部分、中間部分および後方部分を有する。製品は、砂時計に似た形状を有する外形を有し、この場合、中間部分は、ヘッド部分および後方部分それぞれにおけるいずれの領域よりも狭い幅を有する領域を備える。芯は、製品の長手方向および横方向に延在しており、製品の外形と非対称の外形を有する。
【背景技術】
【０００２】
パンティライナーは、尿や血液などの少量の体液を吸収するのに利用される吸収性製品である。パンティライナーは、生理用ナプキンまたは尿漏れ防止パッドなどよりもサイズが小さく、毎日の爽やかさのために使用され、婦人用の肌着、すなわちブリーフを保護することが意図されている。今日市場には数種類のブリーフがあるが、比較的幅広のクロッチ部分を有する従来式のブリーフ、比較的幅の狭いクロッチ部分を有するヒップスタータイプのブリーフ、およびユーザの臀部の全てまたはかなりの部分を露出するために、極めて幅の狭いクロッチ部分と、その後にさらに幅の狭い後方部分が続くひも形ブリーフがある。多くの異なるブリーフの型があることにより、信頼できる保護が得られ、パンティライナーが快適であり、かつ着用するのに目立たないようにするためにパンティライナーの形状およびサイズを最適化することは従来技術において困難であった。
【０００３】
ひも形ブリーフに吸収性製品を適用させることに関連した問題を解決するために、従来技術においていくつかの試みがあった。特許文献１および特許文献２はそれぞれ、ひも形ブリーフに適用可能な芯を備えるパンティライナーを開示している。しかしながら、このような製品は、ひも形ブリーフに適用可能であるが、吸収性製品それ自体の形状だけでなく、芯の形状もユーザの解剖学的構造に一致しないため、あるいはその種の下着に適合するように成形されていないため、それらは従来式のブリーフまたはヒップスタータイプのブリーフと共に使用する際の最適な快適さ、および安心できる保護の感覚を提供しない。よって異なるタイプの下着と共に着用することができ、最適な快適さと保護を提供することができる吸収性製品に対する要望がある。
【先行技術文献】
【特許文献】
【０００４】
【特許文献１】欧州特許出願公開第１７５７２５７号明細書
【特許文献２】欧州特許出願公開第１１３８２９４号明細書
【発明の概要】
【発明が解決しようとする課題】
【０００５】
本発明の目的は、先に挙げた問題が回避されるパンティライナーなどの広まった吸収性製品を提供することである。この目的はよって、異なるタイプの下着と共に着用することができ、最適な快適さと保護を提供することができる吸収性製品を提供することである。この目的は添付の請求項１の特徴によって達成される。
【課題を解決するための手段】
【０００６】
本発明は、パンティライナーなどの吸収性製品に関する。パンティライナーは女性の衛生目的で使用され生理用ナプキンより幅の狭い吸収性製品を意味している。パンティライナーは、生理用ナプキンほど多くの液体は吸収しないため、少量の体液の排出および毎日の清潔さを目的としている。この製品は、液体透過性の頂部層と、液体不透過性の底部層と、頂部層と底部層の間に配置された吸収性の芯と、を備える。吸収性の芯は、吸収特性を有する吸収性材料と、超吸収性材料と、を含む。この製品は長手方向に第１の延長部を有し、横方向に第２の延長部を有する。この製品は、製品を通って延在し、製品の第１の長手方向の部分と第２の長手方向の部分との間に位置する、長手方向の中心線を有する。第１および第２の長手方向の部分は、長手方向の中心線に対して対称である。製品は、製品の長手方向に延在するヘッド部分、中間部分および後方部分を有する。製品は、砂時計に似た形状を有する外形を有し、この場合中間部分は、ヘッド部分および後方部分それぞれにおけるいずれの領域よりも狭い幅を有する領域を備える。芯は、製品の長手方向および横方向に延在しており、製品の外形と非対称の外形を有する。
【０００７】
製品のヘッド部分は、
−  製品の中心線が製品の外形に交差するポイントにおける長手方向における製品の先頭ポイントと、
−  横方向における製品の外形上の２つの対向する最も外側のポイントの間に延在し、製品において最も幅広である第１の製品幅と、
−  横方向における芯の外形の２つの対向する最も外側のポイントの間に延在し、芯において最も幅広である第１の芯幅と、を備える。
【０００８】
ヘッド部分は、製品の中間移行ポイントおよび芯の第２の移行ポイントにおいて中間部分へと移行している。芯は、芯の２つの対向する第２の移行ポイントの間に延在する横方向における第２の芯幅を有し、この第２の芯幅は第１の芯幅より小さい。
【０００９】
製品の中間部分は、
−  最小の幅を有する製品の領域における２つの対向するポイントの間に延在し、第２の芯幅から長手方向に隔てられた第２の製品幅と、
−  芯の中間部分の２つの対向する最も外側のポイントの間に延在し、第２の芯幅より幅広である第３の芯幅と、を備える。
【００１０】
中間部分は、製品の後方移行ポイントおよび芯の第３の移行ポイントにおいて後方部分へと移行している。
【００１１】
製品の後方部分は、
−  第２の製品幅より幅広の第３の製品幅と、
−  製品の後方端部ポイントから長手方向に隔てられた後方端部ポイントに向かって先細になる芯の後方部分と、
−  芯の外形に対して最大の距離を有する製品の外形上の特定のポイントと、を備える。
【００１２】
芯の外形に対して最大の距離を有する製品の外形上の特定のポイントの特徴によって、製品の外形上のこのポイントの接線に交差する垂線であり、芯の外形上の特定のポイントに交差する垂線が、製品の後方部分において最大の距離を有することを意味している。
【００１３】
本発明による形状を有する吸収性製品に関する１つの利点は、ほとんどのタイプのブリーフ、例えばひも形ブリーフ、従来式のブリーフおよびヒップスタータイプのブリーフと共に使用するのに適しており、最適な快適さおよび着用者の身体に対する適合性を提供することができる点である。
【００１４】
吸収性製品の形状は、例えばひも形ブリーフ、従来式のブリーフおよびヒップスタータイプなどの様々な幅のクロッチ部分に適合し、完璧な製品の形状と併せた芯の形状によって、優れた吸収力、使用中に肌着が汚れるのを防ぐための下着のクロッチ部分の適切な被覆面積、および快適さをなおも提供することが分かっている。製品の外形は、ブリーフのクロッチ部分の湾曲をたどる。ひも形ブリーフまたは先細になるまたは狭い後方クロッチ部分を有するブリーフの場合、製品の形状によって、ブリーフに製品を固定するために、ウィング付きの製品と同様に製品の後方部分をブリーフの縁部の周りに折り畳むことが可能になる。従来式のブリーフでは、吸収性製品はクロッチ部分を覆うが、ヒップスタータイプのブリーフでは、吸収性製品は縁部から外に延びており、多くのヒップスタータイプのブリーフのクロッチ部分の縁部を超える場合がある。
【００１５】
芯は、製品の外形の形状と比べて非対称の形状を有しており、すなわち、砂時計形状には似ておらず、体の形状をたどり、ユーザの大腿部の間にぴったりと嵌まるように設計されている。本発明による吸収性製品は、全ての種類のブリーフと共に着用するのに適していることに加えて、ブリーフが濡れないように保護するため皮膚にとって快適である。
【００１６】
製品の縁部領域と芯との厚さの比は、１：３５〜１：３である。芯の厚さは、１．５〜３．４ｍｍであり、好ましくは２．２〜３．０ｍｍであり、製品の縁部領域の厚さは、０．１〜０．３ｍｍである。本発明による吸収性製品は、高い吸収力を有する一方で、ユーザの皮膚に対して柔軟であり快適である。薄い縁部領域は、必要であれば縁部領域をブリーフのクロッチ部分を囲むように折り畳み易くすること、気づかれにくいこと、かつその薄さにより着用者に対して高い快適性を生み出すことを保証する。
【００１７】
砂時計に似た形状は、製品の両端において幅広であり、製品の中央に向かって狭くなる形状である。砂時計に似たこの形状は、その両端において対称的または基本的に対称的な形状の幅であり、中央において狭くなっていてよい。製品の外形は、非対称の砂時計形状の外形であってよく、この場合、製品の外形は、中間部分において、第２の半径を有する第２のアーチ形の部分へと移行する、第１の半径を有する第１の凹面のアーチ形の部分を有し、第１の半径は第２の半径よりも小さい。砂時計に似た形状は、その両端において対称的または基本的に対称的な形状の幅であり、中央においてまたは中央付近で狭くなっている。
【００１８】
頂部層は、ポリプロピレン繊維を含むスパンボンド材料である不織材料を含んでよい。頂部層は代替として、ポリプロピレン繊維を含むスパンボンド材料である不織材料で完全に構成されてよい。
【００１９】
吸収性製品は追加として、頂部層の下に位置する捕捉層を有する場合がある。捕捉層は、液体を迅速に吸収し、それが吸収性の芯に運ばれる前に液体を消散させることが意図されており、そこに液体は保持される。捕捉層は好ましくは、低密度のエアレイドまたはワッディングを有する。
【００２０】
芯のヘッド部分は、それぞれ第１および第２の長手方向の部分において、鏡像になった、
ａ．円弧部分の間の中心線上に位置する第１の移行ポイントから芯の長手方向前方方向に、中心線と円弧部分に対する移行ポイントの特定のポイントにおける接線との間の鋭角βにおいて延在する、第１の円弧部分と、
ｂ．中間部分に向かって、かつ１５〜４５°の角度αで芯の中心線に向かって先細になり、円弧部分が移行する第１の縁部ラインであって、ヘッド部分と中間部分の間に位置する第２の移行ポイントへと先細になる、第１の縁部ラインと、を備えることができる。
【００２１】
芯の中間部分は、それぞれの第１および第２の長手方向部分において、第２の移行ポイントと、中間部分と後方部分の間に位置する第３の移行ポイントの間に延在する鏡像になった第１の凸面縁部部分を備える場合があり、この凸面縁部部分は、中心線の全長の５０〜６０％の長さを有し、芯の横方向においてアーチの１〜１０ｍｍの最大の高さを有する。
【００２２】
後方部分は、後方端部ポイントおよび芯の中心線に向かって３〜２０°である特定の角度の中で先細になる第２の縁部ラインを備える場合がある。第２の縁部ラインは、第４の移行ポイントまで先細になり、そこから第２の縁部ラインは、縁部ラインと合わさって結合する後方端部部分へと移行する。好ましくは、後方端部部分は半円である、または円弧形状を有することより使用中に快適な形状を提供する。
【００２３】
上記に記載する形状を有する吸収性の芯に関する１つの利点は、芯が本発明による吸収性製品において使用するのに適しており、これにより多くのタイプのブリーフと共に使用するのに適していることである。吸収性の芯の形状は、例えばひも形ブリーフ、従来式のブリーフおよびヒップスタータイプのブリーフのクロッチ部分の多様な幅に適合することが分かっている。本発明による吸収性製品において使用する際、芯は、優れた吸収力および快適さ、ならびに保護の安心できる感覚を提供する。
【００２４】
製品の前方端部ポイントと後方端部ポイントとの間の製品の全長は、１３０〜１７５ｍｍであり、好ましくは１４０〜１６０ｍｍであり、最も好ましくは１５０ｍｍである。この製品の長さは、最大の保護を提供することができる一方で、吸収性製品を大抵のブリーフに個別に配置させることができるため、パンティライナーにおいて使用するのに最適であることが分かっている。吸収性製品の長さはさらに、吸収性製品の芯がブリーフのクロッチ部分における目的とする位置から離れて移動しないように製品の十分な長さも保証する。
【００２５】
一実施形態において、ヘッド部分の長手方向の延長部は、中心線に沿った製品の延長部のおよそ１／３であり、中間部分の延長部は、中心線に沿った製品の延長部のおよそ１／３であり、後方部分の延長部は、中心線に沿った製品の延長部のおよそ１／３である。このような寸法によって吸収性製品にとって最適な形状を提供する。
【００２６】
好適には、中心線に沿ったヘッド部分の長手方向の延長部は、４０〜５０ｍｍであり、中間部分の延長部は製品の延長部のおよそ４５〜６０ｍｍであり、後方部分の延長部は、製品の延長部のおよそ４０〜５０ｍｍである。このような寸法によって吸収性製品にとって最適な形状を提供する。
【００２７】
ヘッド部分における製品の第１の製品幅は６４〜７２ｍｍであり、好ましくは６６〜７０ｍｍである。このような幅は、最大の保護および下着の形状への最大の適合を実現する。
【００２８】
中間部分における第２の製品幅は、４２〜５０ｍｍであり、好ましくは４４〜４８ｍｍである。この方法において、より幅が狭くなった部分が吸収性製品内に設けられ、これは、着用者への適合、例えば着用者の大腿部への適合を改善する。また製品ならびに芯は、このような幅の狭くなった部分において横方向に折り曲げ易く、製品を扱い易くする。またこの方法において、製品は、下着が引っ張り上げられる際に下着の動きをたどる。
【００２９】
製品の後方部分における第３の製品幅は、５５〜６３ｍｍであり、好ましくは５７〜６１ｍｍである。この幅広の部分によって、後方部分を、例えばひも形ブリーフの後方のクロッチ部分の周りに折り畳むことが可能になる。
【００３０】
上記に記載した寸法を採用する吸収性製品の寸法および幾何学的設計は、吸収性製品を所望される位置に配置させ、ユーザが着用するブリーフのタイプに関わらず、例えば月経流体または尿などの排出が生じるブリーフのクロッチ部分を覆うことができることを有利に保証することが分かっている。本発明による吸収性製品によって、吸収性製品において使用される際、ブリーフのタイプとは関係なく芯がブリーフのクロッチ領域内で元のままの状態であること、すなわち芯が各々のブリーフタイプのクロッチ範囲内に適合し、ユーザの動きから受けるストレスが最小限であることを保証する。
【００３１】
芯の中の超吸収性材料の量は、吸収性の芯の総重量の１０〜３０重量パーセント、好ましくは１５〜２０重量パーセントである。この超吸収性材料の量は、柔軟で快適な芯を維持しつつ良好な吸収力を保証する。芯の密度はおよそ１００〜１８０ｋｇ／ｍ３、好ましくは１２０〜１４５ｋｇ／ｍ３である。この芯の密度が芯を曲げやすくし、芯が着用者の身体を容易になぞることを可能にする。本発明による吸収性の芯は、少なくとも５ｍｌの月経の流体を処理することが可能であり、故に毎日爽やかに使用するのに好適である。
【００３２】
芯は、セルロース系綿毛パルプ、薄織物、吸収性発泡材料または吸収性不織材料を吸収性材料として含む場合がある。好ましくは芯はセルロース系綿毛パルプから成り、これは加工し易いため、芯を製造し易くする一方で極めて優れた吸収力を提供することができる。
【００３３】
芯が位置決めされる製品の領域は、原則として芯の設計にならう特定のパターンによってエンボス加工されてよい。エンボス加工は、連続パターンまたは非連続パターンなどの様々な方法で行うことができ、非連続が好ましい。エンボス加工は例えば、芯の可撓性を操作し改善することで、流体捕捉を制御し改善することができる。
【００３４】
底部層は、剥離紙が装着される製品の面に面している本体から離れるように向いている面に吹き付け接着剤コーティングを有する場合がある。吹き付け接着剤コーティングは好ましくは、製品の面に面する全体に噴霧されるが、実際には、ブリーフに吸収性製品を配置する前に、ユーザが製品から剥離紙を除去することが可能であるように、小さい領域には接着剤がないことが必要である。吹き付け接着剤コーティングは、底部層に優れた接着力を与え、これは使用後にブリーフから除去される際、製品が引き裂かれないようにすることにつながる。吹き付け接着剤コーティングは同時にブリーフに優れた接着力を与え、使用中製品が適切な場所に留まることを保証する。
【図面の簡単な説明】
【００３５】
【図１】本発明による吸収性製品を示す概略図である。
【図２】図１におけるａ−ａ線に沿った吸収性製品の断面を示す概略図である。
【図３】本発明による吸収性製品と共に使用するのに適した芯を示す概略図である。
【発明を実施するための形態】
【００３６】
図１は、上から見た本発明による吸収性製品１の概略図である。吸収性製品１は、液体透過性の頂部層２（図２に示される）の形態の第１のカバー層を備え、これは使用中着用者の方に向くことが意図された吸収性製品１の面に配置される。吸収性製品１はまた、吸収性の特徴を有する吸収性材料と、超吸収性材料とを含む吸収性の芯３を備え、これは頂部層２と液体不透過性の底部層４（図２に示される）の形態の第２のカバー層の間に配置される。液体不透過性の底部層４は、使用中、着用者から離れるように向くことが意図された吸収性製品１の面に配置される。
【００３７】
液体透過性の頂部層２は好ましくは、吸収性製品１が着用されるときに、乾燥および柔軟性などの特徴を呈する材料から作製されるが、これは頂部層が着用者の身体に接触するためである。また頂部層が、繰り返し湿るような場合でも乾燥したままの柔軟で布地のような表面を有することも望ましい。頂部層は、例えば柔軟で滑らかな表面を有する不織材料で構成することができ、例えばポリプロピレン繊維から作製されたスパンボンド材料で構成することができる。着用者の体に最も近い表面を乾燥した状態に維持することを可能にするために、穿孔された疎水性の不織材料が使用される場合がありこれと併せて材料中の繊維同士の間の穴より大きい開口が材料に形成される。この方法において、液体を頂部層にある穿孔された穴を介して下方にある吸収性の芯へと下に導くことができる。頂部層に関する材料の他の例は、穿孔されたポリエステルフィルムなどの穿孔されたプラスチックフィルムである。頂部層は、例えば接着剤、超音波接合または熱接着の何らかの形態を利用して下方にある底部層および吸収性の芯と一緒に結合させることができる。頂部層の不織部分もまた、スパンボンド不織材料、エアースルー不織材料、スパンレース不織（水流交絡）材料、メルトブロー不織材料またはこれらの組合せである得る。原材料は、ポリプロピレン（ＰＰ）、ポリエチレン（ＰＥ）ポリエステル（ＰＥＴ）、ポリアミド（ＰＡ）またはこれらの組合せであり得る。特定の組合せが使用される場合、これは異なるポリマーからの繊維の混合体であり得るが、各々の繊維は、異なるポリマー（例えばＰＰ／ＰＥ２成分繊維またはＰＰ／ＰＥコポリマー）を含むこともできる。適切であれば、プラスチックフィルムは、ＰＥまたはＰＰ、ＰＥＴ、ＰＬＡまたはアミル基（あるいはその物質に関して、任意の他の熱可塑性ポリマー）あるいは上記に挙げたポリマーの混合体またはコポリマーで構成される場合もある。頂部層は好ましくは、製品の最適な快適さおよび扱い易さを提供するポリプロピレン繊維を含むスパンボンド材料である。不織材料を作製するための他の好適な繊維は、例えば竹、綿および亜麻などの天然繊維である。
【００３８】
吸収性の芯３は、吸収性特徴を備えた天然または合成繊維の形態の好適な繊維材料、あるいは天然繊維と、合成繊維、または例えば生理用ナプキン、尿漏れパッドおよびパンティライナーなどで使用するのに適した先に開示した種類の他の吸収性材料との混合体から適切に製造される。吸収性の芯３はまた、所定の比率、例えば１０〜３０％の超吸収性材料を備えることもでき、これはつまり粒子、繊維、薄片などの形態のポリマー材料であり、これは、水性ゲルを形成するためにそれ自体の重量の数倍に等しい液体を、吸収し、化学的に結合する能力を保持する。これは最終的な吸収性製品１に対して極めて高い液体吸収力を与える一方で、吸収性製品１はなおも柔軟であり、扱い易くかつ製造し易い。
【００３９】
吸収性の芯３は好ましくは一体式構造である。本文脈における「一体式構造」によって、吸収性の芯３が基本的に一種類の材料から構築され、これは吸収性の芯３全体を通して基本的に同一材料、または基本的に２つ以上の材料の同一の組合せであることを意味している。材料の密度および濃度の変化が生じる場合があるが、これらは別々に形成され、その後、物理的に互いに結合された領域を組み込まずに得ることができるものに限定される。例えば吸収性の芯３は、例えば親水性繊維などの吸収特性を備えた吸収性材料の母材と、超吸収性材料とを含み、超吸収性材料と繊維の相対的な濃度は、芯３の異なる部分において異なる場合がある。吸収性材料はまた、材料の構造内に液体を保持する能力を有する疎水性の材料である場合もある。しかしながら、構造が一体式である場合、吸収性の芯３は、例えば異なる組成の層または積層物を含まない。同様に、吸収性の芯３の長手方向、横方向または厚さ方向にわたって種々の成分の密度または濃度の変化が生じる場合もあり、なおいっそう芯３は、別々に形成され、その後、一緒に結合される異なる組成の領域または層を含むべきではない。
【００４０】
芯３が位置決めされる製品の領域は、原則として芯３の設計にならう特定のパターン２００によってエンボス加工される。エンボス加工するパターンは、芯３の設計にならう特定のパターンで配置される別個の円形の点を含む。他の設計も当然のことながら可能である。底部層４は好ましくは液体不透過性（または液体による浸透に対して少なくとも高い耐性を有するべき）であり、よって吸収性製品１から排出された流体のいかなる漏出も阻止するように構成される。底部層４は一方で、それが蒸気透過性であるように作られる場合もある。この目的のために、底部層４は、薄い液密のプラスチックフィルムでしかるべく構成される液体不透過性材料から製造されてよい。例えばポリエチレン、ポリプロピレンまたはポリエステルのプラスチックフィルムをこの目的に使用することができる。あるいは不織のプラスチックフィルムの積層物または他の好適な材料層を液密の底部層４として使用することもできる。底部層４の下面には、吹き付け接着剤コーティング（図示されない）が備わる場合があり、これは、その後、布地製品に吸収性製品１を装着するのに利用することができる。
【００４１】
図１の吸収性製品１は、長手方向に第１の延長部、および横方向に第２の延長部を有する。吸収性製品１は、吸収性製品１を通って延在し、吸収性製品１の第１の長手方向部分Ｉと、第２の長手方向部分ＩＩの間に位置する長手方向の中心線Ａを有し、この第１および第２の長手方向部分Ｉ、ＩＩは、長手方向の中心線Ａに関して対称である。吸収性製品１は、吸収性製品１の長手方向に延在するヘッド製品部分ｂ１と、中間製品部分ｂ２と、後方製品部分ｂ３とを有する。吸収性製品１は、砂時計に似た形状を有する外形１００を有する。中間製品部分ｂ２は、ヘッド製品部分ｂ１および後方製品部分ｂ３それぞれにおけるいずれの領域より狭い幅を備えた領域を有する。吸収性の芯３は、吸収性製品１の長手方向および横方向に延在しており、吸収性製品１の外形１００と非対称の外形３００を有する。外形３００は、以下により詳細に記載される芯３の形状によって画定される。吸収性製品１の外形１００と、吸収性の芯の外形３００の間の領域は、縁部領域５として定義される。縁部領域５は、頂部層２と、底部層４とを備える。頂部層２および底部層４は、吸収性の芯３の縁部を超えて延出しており、互いに結合されて縁部領域５を形成している。これにより芯３を有効に内部に封入し、繊維、超吸収性粒子または同様のものが芯３から漏出するのを阻止する。
【００４２】
吸収性製品１のヘッド製品部分ｂ１は、吸収性製品１の中心線Ａが吸収性製品１の外形１００に交差するポイントに、長手方向における吸収性製品１の先頭ポイントＴ１０を備える。外形１００は、２つの対向する最も外側のポイントＴ１１、Ｔ１１'に向かって角度α１で先頭ポイントＴ１０から下方に延出する第１の製品の円弧部分１１１、１１１'を備える。角度α１は、中心線Ａに直交する横方向のラインと、第１の製品の円弧部分１１１、１１１’の接線の間の角度として定義され、この場合、この接線は、第１の製品の円弧部分１１１、１１１’それぞれの移行ポイントＴ１０における接線である。角度α１は、例えば１〜１０°であり、好ましくは２〜７°であってよい。
【００４３】
ヘッド部分はさらに、横方向において吸収性製品１の外形１００上の２つの対向する最も外側のポイントＴ１１、Ｔ１１’の間に延在する第１の製品幅Ｌ１を有する。第１の製品幅Ｌ１は、吸収性製品１において最も広い。第１の芯幅Ｍ１は、横方向において芯３の外形３００の２つの対向する最も外側のポイントＴ５；Ｔ５’の間に延在し、第１の芯幅Ｍ１は、芯において最も広い。Ｍ１が、芯が使用中に快適であることを保証するのに十分な幅を有することが重要である。この幅は、陰唇を覆い、陰唇の間で滑らないように十分なものである必要があり、その一方で、この幅は、目的とする下着の縁部の外側に延出しないように十分に小さくなければならない。上記の幅は、これらの要件を満たすことが分かっている。ヘッド製品部分ｂ１は、吸収性製品１の中間移行ポイントＴ１２；Ｔ１２’および芯３の第２の移行ポイントＴ２、Ｔ２’において中間製品部分ｂ２へと移行している。芯は、芯の２つの対向する第２の移行ポイントＴ２、Ｔ２’の間に延在する横方向における第２の芯幅Ｍ２を有する。第２の芯幅Ｍ２は、第１の芯幅Ｍ１より小さい。
【００４４】
吸収性製品１の外形１００は、非対称の砂時計形状の外形であり、この場合、吸収性製品１の外形１００は、中間製品部分ｂ２において、半径ｒ１を有する第１の凹面状のアーチ形の部分を備え、これは半径ｒ２を有する第２のアーチ形の部分へと移行しており、この場合、半径ｒ１は半径ｒ２より小さい。第１の製品の円弧１１１；１１１’は、２つの対向する最も外側のポイントＴ１１；Ｔ１１’において、またはそれよりわずかに下で第１の凹面のアーチ形部分へと移行している。
【００４５】
吸収性製品１の中間製品部分ｂ２は、最小の幅を有する吸収性製品１の領域内の２つの対向するポイントＴ１４；Ｔ１４’の間に延在する第２の製品幅Ｌ２を有する。第２の製品幅Ｌ２は、第２の芯幅Ｍ２から長手方向に隔てられている。中間製品部分ｂ２はさらに、中間芯部分ａ２の２つの対向する最も外側のポイントＴ６；Ｔ６’の間に延在する第３の芯幅Ｍ３を有し、この第３の芯幅Ｍ３は、第２の芯幅Ｍ２より幅広である。Ｍ３は、使用中、最大の量の排出物が芯の上に着地し芯の外には落ちないことを保証するのに十分な幅を有し、その一方で、この幅は、目的とする下着の縁部の外に延出しないように十分に小さくなければならないことが重要である。このようにして漏れの問題を回避することができる。中間製品部分ｂ２は、吸収性製品１の後方移行ポイントＴ１３、Ｔ１３’において、および芯３の第３の移行ポイントＴ３、Ｔ３’において後方製品部分ｂ３へと移行している。
【００４６】
吸収性製品１の後方製品部分ｂ３は、２つの対向するポイントＴ１５；Ｔ１５’から延出する第３の製品幅Ｌ３を有し、これは第２の製品幅Ｌ２より幅広である。後方芯部分ａ３は、吸収性製品１の後方端部ポイントＴ２０から長手方向に隔てられた後方端部ポイントＴ５に向かって先細になる。吸収性製品１の外形１００上の特定のポイントは、芯の外形３００まで最大の距離を有し、これは製品の外形上の特定のポイントの接線に交差し、芯の外形上の特定のポイントに交差する垂線が、製品の後方部分において最大の距離を有することを意味している。第２の凹面のアーチ形の部分は、２つの対向するポイントＴ１５；Ｔ１５’において、またはそれよりわずかに上で第２の製品の円弧１１３；１１３’へと移行する。第２の製品の円弧１１３；１１３’は、後方端部ポイントＴ２０において結合し外形１００を閉じる。
【００４７】
芯は、以下でより詳細に記載する。
【００４８】
ヘッド製品部分ｂ１の長手方向の延長部は、中心線Ａに沿って吸収性製品１の延長部のおよそ１／３であってよく、中間製品部分ｂ２の延長部は、中心線Ａに沿って吸収性製品１の延長部のおよそ１／３であってよく、後方製品部分ｂ３の延長部は、中心線Ａに沿って吸収性製品１の延長部のおよそ１／３であってよい。より具体的には、中心線Ａに沿ったヘッド製品部分ｂ１の長手方向の延長部は４０〜５０ｍｍであってよく、中間製品部分ｂ２の延長部は、吸収性製品１の延長部のおよそ４５〜６０ｍｍであってよく、後方製品部分ｂ３の延長部は、吸収性製品１の延長部のおよそ４０〜５０ｍｍであってよい。
【００４９】
ヘッド製品部分ｂ１における吸収性製品１の第１の製品幅Ｌ１は、６４〜７２ｍｍであり、好ましくは６６〜７０ｍｍである。中間製品部分ｂ２における第２の製品幅Ｌ２は、４２〜５０ｍｍであり、好ましくは４４〜４８ｍｍである。吸収性製品１の後方製品部分ｂ３における第３の製品幅Ｌ３は、５５〜６３ｍｍであり、好ましくは５７〜６１ｍｍである。
【００５０】
第１および第２の部分Ｉ；ＩＩは、それらが芯の長手方向の中心線Ａに対して互いに対して対称であるように設計され配置される。そのため、使用中、芯がユーザの体の上に対称的に置かれることが重要である。「長手方向の中心線Ａに対して対称的」という表現によって、長手方向の中心線Ａの一方の側における第１または第２の部分における各々のポイントが、長手方向の中心線Ａの対向する側に対応するポイントを有し、これら２つのポイントが、長手方向の中心線Ａ上に位置する平面内での反転によって互いに対して関連付けられていることを本明細書では意味している。したがって、長手方向の中心線Ａの一方の側に位置する第１の長手方向の部分は、長手方向の中心線Ａの他方の側に位置する第２の長手方向の部分の鏡像である。
【００５１】
図２は、図１におけるａ−ａに沿った吸収性製品の断面を示している。この断面は、芯３の厚さと縁部領域５の厚さとの関係を概略的に示しているが、縮尺通りではない。芯３の厚さは、芯３の中心において取得されている。縁部領域５の厚さは、吸収性製品１の外形１００と、芯３の外形の間の特定のポイントで取得されている。芯３の厚さおよび外側縁部５の厚さは、厚さゲージを利用して測定される。厚さゲージおよび厚さゲージを使用するための方法は以下に記載される。
【００５２】
ゲージは、
データ出力を備えたミツトヨ（Ｍｉｔｕｔｏｙｏ）ゲージ。解像度０．０１ｍｍ（０．００１ｍｍ）。精度±０．０２ｍｍ（±０．００２ｍｍ）。
測定フットの低下する速度の調節を目的とする減速装置。標準設定１３±１ｍｍ／ｓ。
測定プレートの荷重を調節するためのレバーアーム。標準荷重（製品に対する圧力）は、０．５ｋＰａ±０．００２ｋＰａである。
測定対象物に応じた種々の形状および領域を有する測定フット。
３つの軸受を備え、そのうちの１つが心棒の調節のために偏心されたローラックス（Ｒｏｌｌａｘ）装置。
１つの軸受を備えたローラックス装置。
１／３まで油で満たされた油の容器。
ＡＴＦオイル、Ｑ８オート１５などのガスケットに対して影響を及ぼさない油。
−  密度  ８６２ｋｇ／ｍ３（１５℃で）
−  粘度  ３５．８ｍｍ２／ｓ（４０℃で）
−  粘度  ８．０ｍｍ２／ｓ（１００℃で）
−  粘度指数  ２００
で構成される。
【００５３】
機能
厚さは、固定荷重を有する測定フットを利用して測定され、これは所与の比率でその試料へと下げられる。厚さは、デジタル厚さゲージにおいて読み取られる。
【００５４】
機能のチェック
心棒のチェック
−  ハンドレバーを下げることによって測定フットを上方レバーまで上げる。
−  ハンドレバーを上げることによって測定フットを下げる。
−  心棒が安定してかつ滑らかに下方に移動することを視覚的にチェックする。
【００５５】
デジタル厚さゲージのピストンのチェック
−  デジタル厚さゲージのピストン、すなわち可動式の金属ロッドが測定フットの下降の跡を追って厚さゲージの心棒上にあることを視覚的にチェックする。ピストンは容易に上下に移動することになっている。
−  ピストンが、衝撃のポイントにおいて厚さゲージの心棒をえぐっていないことをチェックする。
−  繊維または埃が先端の下にないことをチェックする。
【００５６】
油の容器のチェック
−  油の中に気泡がないことをチェックする。ハンドレバーを２回上下させることによって気泡を除去する。
【００５７】
準備
器具が較正され調節されたことをチェックする。
機能的なチェックを実施する。
【００５８】
手順
器具を平面土台の上に置く。
ミツトヨゲージ上のオン／オフボタンあるいはオン／ゼロボタンを押す。
測定フットが下げられる際、起点ボタン（２秒）あるいはオン／ゼロボタンを押すことによってゼロに設定する。
＊ハンドレバーを下げることによって測定フットを上方レベルまで持ち上げる。測定フットが下げられる前に、それを少なくとも５秒間上方レベルのままにすることで、油がシリンダへと戻るように流れるための油時間を与える。
試料を測定フットの下に置く。
ハンドレバーを上げることによって測定フットを下げることで初めてカウンタウエイトが自由になる。
このフットはそれ自体の重量によって下げられるべきである。
５秒後、結果を読み取り、測定フットを頂部レベルまで上げる。
次の測定：＊から繰り返す。方法の終了。
【００５９】
吸収性製品１の縁部領域５と芯との厚さの比は、１：３５〜１：３である。より具体的には、芯３の厚さは、１．５ｍｍ〜３．４ｍｍ、好ましくは２．２〜３．０ｍｍであり、吸収性製品１の縁部領域の厚さは、０．１〜０．３ｍｍである。
【００６０】
図３は、上から見た、本発明による吸収性の芯３の概略図である。ヘッド芯部分ａ１は、第１および第２の長手方向部分Ｉ；ＩＩそれぞれにおいて、第１の移行ポイントＴ１から芯の長手方向前方方向に延在する鏡像になった第１の円弧部分１１；１１’を備える。芯３の長手方向前方方向は、ヘッド芯部分ａ１に向かいその部分全体にわたる方向にある。第１の移行ポイントＴ１は、円弧部分１１、１１’の間の交差点において中心線Ａ上に位置している。第１の円弧部分１１；１１’は、移行ポイントＴ１上にかつ移行ポイントＴ１から鋭角βにおいて前方方向に延在している。βは、中心線Ａと円弧部分１１、１１’の接線の間の角度として定義され、この場合、接線は、それぞれの円弧部分１１；１１’の移行ポイントＴ１における接線である。角度βは３０〜７０°であってよく、好ましくは４０〜６０°、および最も好ましくは４５°であってよい。
【００６１】
ヘッド芯部分ａ１はさらに、第１および第２の長手方向部分Ｉ；ＩＩそれぞれにおいて、鏡像になった第１の縁部ライン１３；１３’を備え、円弧部分１１；１１’が直接、または滑らかな湾曲接続部を介して間接的にこのラインへと移行する。第１の縁部ライン１３；１３’は基本的に直線またはわずかにアーチ形である。芯３は、円弧部分１１；１１’が第１の先細になる縁部ライン１３；１３’へと移行する前に、ヘッド芯部分ａ１において第１の最大幅Ｍ１を有する。第１の最大幅Ｍ１は、３５〜５０ｍｍであり、好ましくは３６〜４０ｍｍである。Ｍ１が、芯が使用中に快適であることを保証するのに十分な幅を有することが重要である。幅Ｍ１は、陰唇を覆うのに十分である必要があり、その一方で、その幅は、目的とする下着の縁部の外に延出しないように十分に小さくなければならない。上記の幅は、これらの要件を満たすことが分かっている。円弧部分１１；１１’は、ヘッド芯部分ａ１の第１の最大幅Ｍ１において、またはヘッド芯部分ａ１の第１の最大幅Ｍ１より下で第１の先細になる縁部ライン１３；１３’へと移行することができる。移行ポイントより第１の縁部ライン１３；１３’は、中間芯部分ａ２に向かって、かつ角度αにおいて芯の中心線Ａに向かって先細になっており、角度αは、１５〜４５°である。４５°を超える角度は幅広のヘッド部分を招き、これはブリーフのクロッチ部分に完璧に適合しない可能性がある。１５°より小さい角度は幅の狭いヘッド芯部分ａ１を招き、これは、流体の排出がブリーフに到達しないこと、ならびに使用中の快適さが損なわれないようにすることを保証するのに十分な吸収力または被覆面積を持たない可能性がある。第１の縁部ライン１３；１３’は、ヘッド芯部分ａ１と、中間芯部分ａ２の間に位置する第２の移行ポイントＴ２、Ｔ２’まで先細になる。第２の移行ポイントＴ２、Ｔ２’の間の距離は、芯３の幅Ｍ２である。Ｍ２は、２０〜３４ｍｍ、好ましくは２４から２８ｍｍである。
【００６２】
中間芯部分ａ２は、第１および第２の長手方向部分Ｉ；ＩＩそれぞれにおいて、第２の移行ポイントＴ２；Ｔ２’と第３の移行ポイントＴ３；Ｔ３’の間に延在する鏡像になった第１の凸面縁部部分１５；１５’を備える。第３の移行ポイントＴ３；Ｔ３’は、中間芯部分ａ２と後方芯部分ａ３の間に位置している。中心線Ａに対する凸面縁部部分１５；１５’の長さは、芯の中心線Ａの全長の５０〜６０％であり、芯の横方向におけるアーチの１〜１０ｍｍの最大の高さｈ１；ｈ１’を有する。凸面縁部１５；１５’の全長はこれにより、中心線Ａに沿った方向での第２の移行ポイントＴ２；Ｔ２’と第３の移行ポイントＴ３；Ｔ３’の間の距離Ｄ１；Ｄ１’と、最大の高さｈ１；ｈ１’とによって決められる。最大の高さｈ１；ｈ１’は、距離Ｄ１；Ｄ１’に一致する長手方向に延びるラインから凸面縁部１５；１５’における最も高いポイントまで測定される。最大の高さｈ１；ｈ１’の場所は、中間芯部分ａ２の第２の最大幅Ｍ３の場所と一致する。Ｍ３が、使用中、最大量の排出が芯の上に着地し芯の外には落ちないことを保証するのに十分な幅を有し、その一方で、その幅は、目的とする下着の縁部の外に延出しないように十分に小さくなければならないことが重要である。このようにして漏れの問題を回避することができる。第１の縁部ライン１３；１３’と第１の凸面縁部部分１５；１５の間の移行部は、切れ目がなく滑らかな移行部であってよい。第１の縁部ライン１３；１３’と第１の凸面縁部部分１５；１５の間の移行部はあるいは、非連続な移行部である場合もあり、すなわち第１の縁部ライン１３；１３’と第１の凸面縁部部分１５；１５が移行部にノッチを形成する移行部である場合もある。
【００６３】
後方芯部分ａ３は、第３の移行ポイントＴ３；Ｔ３’と、第４の移行ポイントＴ４；Ｔ４’の間に延在する第２の縁部ライン１７；１７’を備える。第２の縁部ライン１７；１７’は基本的に直線またはわずかにアーチ形である。第１の凸面縁部部分１５；１５’と第２の縁部ライン１７；１７’の間の移行部は好ましくは、切れ目がなく滑らかな移行部である。第２の縁部ライン１７；１７’は後方端部Ｔ５に向かって、かつ角度γにおいて芯の中心線Ａに向かって先細になっている。角度γは、移行ポイントＴ３；Ｔ３’を通過する距離Ｄ１の延長部と第１の凸面縁部部分１５；１５’の接線の間の角度として定義され、この場合、接線は、第１の凸面縁部部分１５；１５’それぞれの移行ポイントＴ３；Ｔ３’における接線である。この角度は、例えば３〜２０°、好ましくは５〜１５°、および最も好ましくは７〜１１°であってよい。第２の縁部ライン１７；１７’は、第４の移行ポイントＴ４；Ｔ４’に向かって先細になり、そこから第２の縁部ライン１７；１７’は、縁部ライン１７；１７’が合わさって結合する後方端部部分１９へと移行する。好ましくはおよび図１に示されるように、後方端部部分１９は半円形または円弧形状を有する。しかしながら、後方端部部分は、第２の縁部ライン１７；１７’を接続する直線を有する場合もある。第２の縁部ライン１７；１７’と半円または円弧の後方端部部分１９の間の移行部は好ましくは、切れ目がなく滑らかな移行部である。芯３の第１の移行ポイントＴ１と後方端部Ｔ５との間の芯３の全長は、１００〜１５０ｍｍ、好ましくは１２０〜１３５ｍｍ、および最も好ましくは１２６〜１３１ｍｍである。
【００６４】
吸収性の芯３はまた好ましくは、快適さを高めるために丸められた縁部を有する。
【００６５】
クレームにおいて言及される参照符号は、クレームによって保護される事項の範囲を限定するものと見るべきではなく、その唯一の機能はクレームを理解し易くすることである。
【００６６】
理解されるように、本発明は、添付の特許請求の範囲から全く逸脱することなく、種々の明白な点において修正が可能である。したがって図面および記載は、本質的に例示とみなすべきであり限定とみなすべきではない。
【符号の説明】
【００６７】
１  吸収性製品
２  頂部層
３  芯
４  底部層
５  縁部領域
１１、１１'  芯の第１の円弧部分
１３、１３'  第１の縁部ライン
１５、１５'  凸面縁部部分
１７、１７'  第２の縁部ライン
１００  吸収性製品の外形
１１１、１１１'  第１の製品の円弧部分
１１３、１１３'  第２の製品の円弧部分
３００  芯の外形
Ａ  中心線
ａ１  ヘッド芯部分
ａ２  中間芯部分
ａ３  後方芯部分
ｂ１  ヘッド製品部分
ｂ２  中間製品部分
ｂ３  後方製品部分
Ｌ１  第１の製品幅
Ｌ２  第２の製品幅
Ｌ３  第３の製品幅
Ｍ１  第１の芯幅
Ｍ２  第２の芯幅
Ｍ３  第３の芯幅
Ｔ１  第１の移行ポイント
Ｔ２、Ｔ２'  第２の移行ポイント
Ｔ３、Ｔ３'  第３の移行ポイント
Ｔ４、Ｔ４'  第４の移行ポイント
Ｔ５  後方端部ポイント
Ｔ６、Ｔ６'  ２つの対向する最も外側のポイント
Ｔ１０  先頭ポイント
Ｔ１１、Ｔ１１'  最も外側のポイント
Ｔ１２、Ｔ１２'  中間移行ポイント
Ｔ１３、Ｔ１３'  後方移行ポイント
Ｔ１４、Ｔ１４'  ２つの対向するポイント
Ｔ１５、Ｔ１５'  ２つの対向するポイント
Ｔ２０  後方端部ポイント
【図１】
0006324542.tif 000002
【図２】
0006324542.tif 000003
【図３】
0006324542.tif 000004